(57)【要約】【課題】積層された畳等板状体の複数枚を容易に把持及び把束して、より容易に運搬できる把束具を提供すること。【解決手段】積層された複数枚の畳等の側縁部を把束する把束具である。表面側コーナー保持部10と背面側コーナー保持部20とを有し、両コーナー保持部同士を連結する１本の連結腕部5 を有し、１本のワイヤー30が両コーナー保持部を連結する。ワイヤー30の一方端は表面側コーナー保持部10に固定し、このワイヤー30を背面側コーナー保持部20に設けられたガイド部6を介して折り返し、再度表面側コーナー保持部10に戻してその他方端部を表面側コーナー保持部10の外方に導出させてその他方端部に把持部35を設ける。把持部35を引き寄せることにより積層された畳等の側縁部が両コーナー保持部10, 20によって挟持、把束される。ガイド部6の外周部は回動する。【選択図】図１
0003139371.tif 000002
【実用新案登録請求の範囲】
【請求項１】
複数枚の畳等の板状体を積層し、これらの側縁部を把束する把束具であって、
その表面側に位置する表面側コーナー保持部(10)と、その背面側に位置する背面側コーナー保持部(20)とを有し、
これら表面側及び背面側の両コーナー保持部(10, 20)同士を連結する１本又は複数の連結腕部(5) が設けられ、これらの両コーナー保持部(10, 20)と連結腕部(5) がリンクして両コーナー保持部(10, 20)同士の間隔を広狭自在に設定することができ、
更に、１本のワイヤー(30)が上記両コーナー保持部(10, 20)同士を相互に連結し、その一方端(31)を表面側コーナー保持部(10)に固定し、このワイヤー(30)を背面側コーナー保持部(20)に設けられたガイド部(6) を介して折り返し、再度表面側コーナー保持部(10)に戻してその他方端部を表面側コーナー保持部(10)の外方に導出させてその他方端部にこのワイヤー(30)を引き寄せるための把持部(35)を設け、
この把持部(35)を引き寄せることにより積層された畳等の板状体の側縁部を両コーナー保持部(10, 20)が挟持し、把束することができる畳等板状体用把束具。
【請求項２】
ワイヤー(30)が背面側コーナー保持部(20)で案内されるガイド部(6) の外周部が回動することによりワイヤー(30)が滑らかに摺動できることを特徴とする請求項１に記載の畳等板状体用把束具。
【考案の詳細な説明】
【技術分野】
【０００１】
本考案は、畳等の板状体からなる物品を積層して、その側縁部を把持し、把束するために使用する把束具に関するものである。
【背景技術】
【０００２】
従来、畳等を運搬する場合には、１枚又は２枚ほどのものを積層して、その積層された両側縁部を両側のそれぞれの手で把持して、持ち上げて運搬するのが常套手段であった。
勿論、台車等に多数枚を重ね合わせて積載して運ぶ際にも、その積載するに際しては上記のように1枚乃至2枚程度のものを重ね合わせて両手で把持して台車等に積載していたのである。
この一番基本的な運搬方法又は把持方法は、やはり両方の手で行うしかなかったのであり、この把持方法に際して何か適当な器具や道具等はこれまで存在していなかった。
勿論、適当な紐等を利用して、複数枚の畳を重ね合わせてその紐で縛り上げて、その紐を持って運搬するというようなことは行われていた。
【考案の開示】
【考案が解決しようとする課題】
【０００３】
そこで、本考案においては、上記畳等の板状体の複数枚の積層されたものを簡単な道具又は器具によって把持及び把束して、より容易に運搬できるようにすることをその課題としている。
勿論把束される板状体は、畳ばかりでなく、合板や戸板、或はふすま等のものであってもよく、これらを積層させた際に把束できるものであれば何でもよいものである。
【課題を解決するための手段】
【０００４】
上記課題を解決するために、本考案の第１のものは、複数枚の畳等の板状体を積層し、これらの側縁部を把束する把束具であって、その表面側に位置する表面側コーナー保持部と、その背面側に位置する背面側コーナー保持部とを有し、これら表面側及び背面側の両コーナー保持部同士を連結する１本又は複数の連結腕部が設けられ、これらの両コーナー保持部と連結腕部がリンクして両コーナー保持部同士の間隔を広狭自在に設定することができ、更に、１本のワイヤーが上記両コーナー保持部同士を相互に連結し、その一方端を表面側コーナー保持部に固定し、このワイヤーを背面側コーナー保持部に設けられたガイド部を介して折り返し、再度表面側コーナー保持部に戻してその他方端部を表面側コーナー保持部の外方に導出させてその他方端部にこのワイヤーを引き寄せるための把持部を設け、この把持部を引き寄せることにより積層された畳等の板状体の側縁部を両コーナー保持部が挟持し、把束することができる畳等板状体用把束具である。
【０００５】
本考案の第2のものは、上記第1の考案において、ワイヤーが背面側コーナー保持部で案内されるガイド部の外周部が回動することによりワイヤーが滑らかに摺動できることを特徴とする畳等板状体用把束具である。
【考案の効果】
【０００６】
本考案の第1のものにおいては、表面側コーナー保持部と背面側コーナー保持部とが、積層された畳等のコーナー部に適切に接合し、把持部を引っ張ることによりワイヤーが引き寄せられ両コーナー保持部の間隔が狭められ、容易に積層された畳等の側縁部を挟持して、把束することができる。
手で把束する場合には、畳2枚程度であれば問題がないが、3枚もの畳を把束しようとすると、手の小さい者はこれを把束することが出来ないが、この把束具を用いることにより1枚でも3枚でも容易に一方の側縁部を把束することができる。
【０００７】
他方の側縁部は、他方の手で把束することとなるが、本考案の把束具がもう一方の側縁部を確実に把持、把束しているために、他方の手による把持は、仮に不十分であっても、把持可能となる。
更に、本考案に係る把束具によれば、ワイヤーによる引っ張り力によって、引っ張る長さは2倍となるものの、両コーナー保持部による挟持力は、その引張り力の2倍の効果を発揮し、極めて堅固な把束が可能となるのである。
【０００８】
本考案の第2のものにおいては、ワイヤーが案内される背面側コーナー保持部のガイド部の外周部が回動するために、ワイヤーは、ガイド部の表面で極めて良好に摺動することができ、摩擦抵抗が軽減され、より滑らかに把持部の引き寄せが可能となるものである。
【考案を実施するための最良の形態】
【０００９】
以下、添付の図面に基き本考案の実施形態について説明する。
図１は、本考案の把束具に係る一実施形態を示す斜視説明図である。
本考案に係る把束具は、表側の表面側コーナー保持部１０と裏側の背面側コーナー保持部２０を有している。
表面側コーナー保持部１０は、板状体からなる表面押さえ部１１と、その表面押さえ部１１の裏面の一方の側縁に沿って略直角に起立するように形成された表面側側縁押さえ部１２とから形成されている。
この表面側コーナー保持部１０は、平面視略Ｌ字形状を有しており、畳等の板状体の側縁部の表面側のコーナー部に適切に接合できる。
【００１０】
より具体的には、表面押さえ部１１は、金属製の板状体のものから形成され、表面側側縁押さえ部１２は、横断面長方形形状の金属製角パイプを起立するように立設して、両者を溶接着したものである。
本実施形態では、この金属製角パイプからなる表面側側縁押さえ部１２の内部で、ワイヤー３０の一方端部を固定し、表面押さえ部１１に設けた穴部２から外部にワイヤー３０が導出されるのである。
また、表面側側縁押さえ部１２の図中左側にはプレート４を設け、このプレート４に連結腕部５の一方端部が軸着されている。
【００１１】
他方、背面側コーナー保持部２０も、上記表面側コーナー保持部１０と略点対称形を有したもので、板状体からなる背面押さえ部２１と、その背面押さえ部２１の内側面の一方の側縁に沿って略直角に起立するように形成された背面側側縁押さえ部２２とから形成されている。
この背面側コーナー保持部２０も、平面視略Ｌ字形状を有しており、畳等の板状体の側縁部の背面側のコーナー部に適切に接合できる。
【００１２】
表面側コーナー保持部１０と同様に、背面押さえ部２１は、金属製の板状体のものから形成され、背面側側縁押さえ部２２も、横断面長方形形状の金属製角パイプを立設したものに金属プレートを溶接して形成したものである。
更に、この実施形態では、上記金属プレートからなる背面側側縁押さえ部２２の上方端部に円柱形状のガイド部６が設けられているが、このガイド部６は、上記背面側側縁押さえ部２２の上方端部分と略平行に設けられた支持プレート７と上記背面側側縁押さえ部２２とにより支持される。
【００１３】
このガイド部６がワイヤー３０の折り返しをガイドするものとなり、このガイド部６の外周面には筒状の回動リングが設けられ、ワイヤー３０の滑りを良好にしている。
また、連結腕部５の図中下方の他方端部は、上記背面側側縁押さえ部２２に軸着され、この連結腕部５が回動することにより表面側コーナー保持部１０と背面側コーナー保持部２０とが広狭自在に移動することが出来る。
【００１４】
1本の金属製のワイヤー３０は、上記両コーナー保持部１０、２０を相互に連結して、これを引き寄せることにより両コーナー保持部１０、２０は相互に近付き、その間隔を狭くさせることができる。
即ち、ワイヤー３０の一方端部は、角パイプからなる表面側側縁押さえ部１２の内部に固定され、穴部２を介してこのワイヤー３０は表面側外部に導出され、表面押さえ部１１の穴部３から今度は裏側に挿通して背面側側縁押さえ部２２に設けられたガイド部６に沿って折り返され、再度表面押さえ部１１の穴部８を介して表面押さえ部１１の外側に導出され、そしてワイヤー３０の他方端には、このワイヤー３０を引っ張るための把持部３５が設けられているのである。
従って、この把持部３５を手によって把持して引き寄せることにより、表面側コーナー保持部１０と背面側コーナー保持部２０との間の間隔が狭まり、両コーナー保持部１０、２０に挟持された複数の板状体が強固に把束されることとなるのである。
【００１５】
ワイヤー３０を表面側コーナー保持部１０から背面側コーナー保持部２０を介して折り返しているために、ワイヤー３０の引き寄せ距離は2倍になるものの、その引き寄せ力が2倍となって両保持部１０、２０の挟持力に反映されるのである。
更に、この実施形態においては、表面押さえ部１１と背面押さえ部２１のそれぞれの内側に、図示はしていないが、滑り止め部材を設けている。
この滑り止め部材としては、滑り止め材が塗布されたテープを貼着しても良いし、直接それぞれの押さえ部１１、２１の内側に滑り止め部材を塗布したものであってもよい。
【００１６】
図２は、上記実施形態に係る把束具の両コーナー保持部の間隔が最小となった状態の正面図である。
図３は、上記実施形態に係る把束具の両コーナー保持部の間隔が最大となった状態の正面である。
これら図２及び図３によって、連結腕部５の動きを見て取ることができる。
連結腕部５は、その上方端部で軸１５によって表面側側縁押さえ部１２に固定されたプレート４に軸支され、その下方端部で軸１６によって背面側側縁押さえ部２２に軸支されている。これにより、連結腕部が略９０度回動することにより、図２の最小幅から図３の最大幅に至るまで両コーナー保持部１０、２０が広狭移動することができる。
【００１７】
また、これら図２及び図３から、ワイヤー３０の配設状態を見て取ることができる。
即ち、ワイヤー３０の一方端３１は、角パイプからなる表面側側縁押さえ部１２の内部に配設された横断軸に固定され、表面押さえ部１１に設けられた穴部２を挿通して、表面押さえ部１１の外側（表面側）に導出され、今度はその下方にある穴部３から表面押さえ部１１の裏面側に導入し、背面側コーナー保持部２０側に設けられたガイド部６に沿って折り返し、再度表面押さえ部１１に設けられた穴部８を介して、表面側コーナー保持部１０の表面側に導出されて、他方端部に位置する把持部３５と連結するのである。
これにより、把持部３５を把持してワイヤー３０を引き寄せることにより、両コーナー保持部１０、２０の間隔が狭められ、両コーナー保持部１０、２０の間に各種の板状体を挟持し、保持することができるのである。
【００１８】
図４は、上記実施形態に係る把束具により2枚の畳を把束した状態を示す説明図である。
畳５０を2枚積層し、本考案に係る把束具の両コーナー保持部１０、２０の間隔を広げた状態で、畳５０の背面側コーナー部５１に背面側コーナー保持部２０を接合し、畳５０の表面側コーナー部５２に表面側コーナー保持部１０を接合させ、把持部３５を例えば右手で把持して、ワイヤー３０を引き寄せるのである。
ワイヤー３０を矢印方向Ｄに引き寄せると、両コーナー保持部１０、２０の間隔が狭まって、2枚の畳５０がこれらに挟持され、把束されるのである。
この状態で、他方の左手で、積層された畳５０、５０の他方の左側側縁部を把持して、これら積層された畳５０、５０を把持することができるものである。
【００１９】
以上、一実施形態について説明したが、本考案においては以下の通り設計変更が可能である。
各構成部材の形状、大きさ等は、適宜必要に応じて設定することができる。
また各構成部材の材質も金属製のものとして実施したが、その金属の材質も自由に選択できるし、ふすま用の比較的軽い板状体のものに使用するものである場合には、硬質の合成樹脂製から形成することも可能である。
表面押さえ部及び背面押さえ部の横方向長さ、つまり、表面側及び背面側側縁押さえ部からの起立長さも自由に設定することができるが、適宜板状体を挟持するに際して必要な長さに設定する必要がある。
これら押さえ部が金属製の場合には、その重さを考慮して、適宜打ち抜き部を設けて軽量化を図ることが望ましい。
【００２０】
ワイヤーの長さは、適宜板状体の厚み等を考慮して設定することができる。
ガイド部の周りに回動筒体或はプーリーの役目を果たす筒状部材を配設して、ワイヤーの滑りを良好にすることもできる。
連結腕部５は、図１乃至図３において、手前側、即ち、板状体を把束した際の板状体側に配置しているが、これらの図の紙面裏側に、即ち、表面側及び背面側側縁押さえ部の外側（板状体を把束したときの板状体と反対側）に配置させて設けることも出来る。
上記実施形態においては、連結腕部は１本にて構成したが、これを２本以上のものとして実施することも可能である。
最後に把持部も手によって把持し易い太さと長さのものを採用することができる。
以上、本考案は簡易な構成により極めて便利な畳等板状体の把束具を提供することができたものである。  
【図面の簡単な説明】
【００２１】
【図１】本考案の実施形態に係る把捉具を示す斜視説明図である。
【図２】本考案の実施形態に係る把束具の両コーナー保持部の間隔を最小にした状態の正面図である。
【図３】本考案の実施形態に係る把束具の両コーナー保持部の間隔を最大にした状態の正面図である。
【図４】本考案の実施形態に係る把束具によって2枚の畳を把束した状態を示す説明図である。
【符号の説明】
【００２２】
５  連結腕部
６  ガイド部
１０  表面側コーナー保持部
１１  表面押さえ部
１２  表面側側縁押さえ部
２０  背面側コーナー保持部
２１  背面押さえ部
２２  背面側側縁押さえ部
３０  ワイヤー
３５  把持部
【図１】
0003139371.tif 000003
【図２】
0003139371.tif 000004
【図３】
0003139371.tif 000005
【図４】
0003139371.tif 000006